(57)【特許請求の範囲】
【請求項１】
人工石材のグラウンドカバー要素であって、
（ａ）該グラウンドカバー要素は、同一の正方形の形状の基本要素（４、６、８）が結合した基本形状を有するとともに、その周縁は、基本要素側面（１２）にそれぞれ形成された複数の同一の周辺部からなり、
（ｂ）各々の周辺部は、３つの突出部（１６）と３つの凹部（１８）が実質的に同じ配列で設けられており、
（ｃ）前記３つの突出部（１６）のうち中央の突出部（１６ｂ）と前記３つの凹部（１８）のうち中央の凹部（１８ｂ）の各々が、他の２つの突出部（１６ａ、１６ｃ）および凹部（１８ａ、１８ｃ）よりもそれぞれ広く、
（ｄ）前記周辺部の前記配列が、その二等分点（２０）に関して実質的に点対称であることを特徴とするグラウンドカバー要素（２）。
【請求項２】
前記基本形状が角形状であることを特徴とする請求項１に記載のグラウンドカバー要素（２）。
【請求項３】
前記中央の突出部（１６ｂ）と前記中央の凹部（１８ｂ）の各々が、他の２つの突出部（１６ａ、１６ｃ）および凹部（１８ａ、１８ｃ）よりもそれぞれ少なくとも１．５倍広いことを特徴とする請求項１または２に記載のグラウンドカバー要素（２）。
【請求項４】
前記中央の突出部（１６ｂ）と前記中央の凹部（１８ｂ）の各々が、他の２つの突出部（１６ａ、１６ｃ）および凹部（１８ａ、１８ｃ）よりもそれぞれ少なくとも１．８倍広いことを特徴とする請求項１または２に記載のグラウンドカバー要素（２）。
【請求項５】
前記中央の突出部（１６ｂ）と前記中央の凹部（１８ｂ）の各々が、他の２つの突出部（１６ａ、１６ｃ）および凹部（１８ａ、１８ｃ）よりもそれぞれ少なくとも２．０倍広いことを特徴とする請求項１または２に記載のグラウンドカバー要素（２）。
【請求項６】
前記突出部（１６）および前記凹部（１８）が台形であることを特徴とする請求項１〜５のいずれか１項に記載のグラウンドカバー要素（２）。
【請求項７】
前記３つの突出部（１６）および前記３つの凹部（１８）の各々が、少なくとも部分的に丸い線によって画定されることを特徴とする請求項１〜５のいずれか１項に記載のグラウンドカバー要素（２）。
【請求項８】
前記グラウンドカバー要素（２）がその周縁にスペーサ突出部（２８）を有し、これらのスペーサ突出部（２８）が、請求項１に定義された周縁に加えられたものであることを特徴とする請求項１〜７のいずれか１項に記載のグラウンドカバー要素（２）。
【請求項９】
前記グラウンドカバー要素（２）が、その上側に少なくとも１つのダミー継目（２６）を有し、該ダミー継目が、２つの隣接する基本要素（４、６、８）の接合線（１０）と実質的に一致して延在することを特徴とする請求項１〜８のいずれか１項に記載のグラウンドカバー要素（２）。
【発明の詳細な説明】
【技術分野】
【０００１】
本発明は、第１の態様によれば、複数の正方形の基本要素の結合に対応する基本形状、特に角形状のグラウンドカバー要素を有し、その周縁全体に突出部と凹部とを備え、周縁の基本要素の全側面が、それぞれの基本要素上側の中心から見て、その二等分点に対して実質的に点対称の実質的に同一のプロフィルを有する人工石材のグラウンドカバー要素に関する。
【背景技術】
【０００２】
この種類の基本要素、同様に角形状のグラウンドカバー要素が公知である。従来、プロフィルの設計はある程度直観に基づいていた。
【発明の開示】
【発明が解決しようとする課題】
【０００３】
本発明の目的は、隣接するグラウンドカバー要素の完全でない相互配向の場合の相互係合効果と、隣接するグラウンドカバー要素間の相互係合強度との間の優れた妥協を得るために、プロフィルを意図的に設計することである。
【課題を解決するための手段】
【０００４】
上記目的を達成するために、前述のグラウンドカバー要素は、このプロフィルが３つの突出部と３つの凹部とから構成されることを特徴とする。上記の数により、言及する以下の目的の意味で最適な妥協が得られることを以下により詳細に説明する。
【０００５】
前述の「人工石材」は、多くの場合コンクリートである。別の好ましい可能性として、レンガのような材料を挙げられるだろう。一般に、時間の関数として硬化する結合剤に添加剤または充填剤を包埋させたすべての材料（例えば、プラスチックも）、特にポリマコンクリートも考えられる。「実質的に」という用語は、多くの場合、厳密な意味でプロフィルが周縁の基本要素の全側面で等しくないので、また多くの場合、厳密な意味で点対称が実現されないので、慎重に使用された。人工石材のグラウンドカバー要素は、このように大きな製造公差で製造されるので、このこと自体が、正確に同一のプロフィルおよび正確な点対称の形成を妨げるのに十分である。それに加え、敷き詰め継目用の自由空間を形成するために、例えば周辺部分の面取り隅部または後退部を例えば配慮するために、寸法の小さな変更をグラウンドカバー要素の特定の位置に意図的に行うことが頻繁に生じ、「実質的に」という用語は、上記の観点において理にかなっている。最後に、隣接して敷き詰められたグラウンドカバー要素の間に敷き詰め継目を設けるために、例えば、係合時に相補的である凹部よりも僅かに狭い（基本要素側面の延長部の方向で測定して）突出部を形成することが合理的であるかもしれない。全く同様の見方が、次の説明および特許請求の範囲全体の「実質的に」という用語の使用に関して適用可能である。
【０００６】
言い換えれば、グラウンドカバー要素の周縁の基本要素側面のプロフィルは、相補的な相互係合を行うように、１８０°の回転後に実質的に同一のプロフィルに隣接して考慮対象の特定のプロフィルを配置し得るように、設計されるということもできよう。
【０００７】
特許請求の範囲ならびに本発明の特許明細書の詳細な説明は、その多くの箇所において、幾何学的関係、例えば「正方形の基本要素」、「角形状のグラウンドカバー要素」、「突出部」、「凹部」、「プロフィル」、「幅広」、「台形」について述べている。これらの表現のすべては、特定の位置で明白に述べられない限り、グラウンドカバー要素の平面図の表示、すなわち、グラウンドカバー要素が基部上に敷き詰められているかのごとく、上方からそれぞれのグラウンドカバー要素の利用側または上側への観察に関する。本発明によるグラウンドカバー要素は、好ましくは、「屋外の用途」のための、あるいは屋外の敷き詰め領域のためのグラウンドカバーを形成するために用意されるグラウンドカバー要素である。本発明によるグラウンドカバー要素の特に好ましい用途分野は、特に屋外地域、例えば車両交通地域、自転車交通地域、歩行者交通地域のような交通部門である。特に典型的かつ好ましいのは、広場、構内、私道、通路、道路、歩行者区域、積載区域、テラス、車両用の駐車場、ガソリンスタンド、商業交通地域、産業交通地域、工場敷地、コンテナ地点である。
【０００８】
好ましくは、突出部および凹部は台形であり、これは容易に製造でき、突出部の剪断強さのために好ましい。あるいは、突出部および凹部の各々は、少なくとも部分的に丸い線、例えば、左および右に丸い移行部を有する半円によって画定されることが好ましい。一般に、突出部および凹部の幾何学的な構造は非常に多様な可能性を提供する。
【０００９】
好ましくは、中央の突出部および中央の凹部の各々は、それぞれ他の突出部および凹部よりも著しく広いことが指摘される。この点に関して、少なくとも１．５倍の幅が特に好ましく、少なくとも１．８倍の幅がより好ましく、また少なくとも２．０倍の幅がさらに好ましい。この寸法差が目的の解決の意味においてさらに改良された妥協をもたらすという理由は、以下のより詳細な提示によってより明瞭になるであろう。
【００１０】
グラウンドカバー要素は、その周縁にスペーサ突出部が設けられることが好ましく、これらのスペーサ突出部は、特許請求の範囲に示された幾何学的関係の考慮において顧慮されないままである。しかし、特許請求の範囲に言及された幾何学的な関係が、スペーサ突出部にもかかわらず、維持される設計であることを指摘する。スペーサ突出部の故に、敷き詰め継目幅が同一のままで（周縁の基本要素側面の延長部の全体方向を横断して測定）、特に好都合に敷き詰めることができるグラウンドカバー要素が獲得される。
【００１１】
第２の態様によれば、本発明は、複数の正方形の基本要素の結合に対応する基本形状を有する人工石材のグラウンドカバー要素、特に角形状のグラウンドカバー要素であって、該グラウンドカバー要素が周縁全体に突出部と凹部とを備え、また隣接して敷き詰められたグラウンドカバー要素群に効率的な水通過開口部をもたらす周縁の後退部を備えるグラウンドカバー要素において、前記突出部および凹部全体が、各周縁の基本要素側面毎に１つのプロフィルによって画定され、
（ａ）ゼロからすべての周縁の基本要素側面の各々に、特定の基本要素上側の中心から見て、第１の端部に隣接する突出部と、第２の端部に隣接する突出部と、それらの間の端部から遠い突出部とを有する実質的に第１のプロフィルと、
（ｂ）周縁の基本要素側面のゼロから部分の各々に、特定の基本要素上側の中心から見て、第１の端部に隣接する突出部と第２の端部に隣接する突出部とを有する実質的に第２のプロフィルと、
（ｃ）周縁の基本要素側面のゼロから部分の各々に、特定の基本要素上側の中心から見て、端部から遠い突出部と端部に隣接する突出部とを有する実質的に第３のプロフィルと、が設けられ、
（ｄ）前記グラウンドカバー要素群を互いに隣接して配置するために、
−設けられるならば、第１のプロフィルを、設けられるならば、隣接するグラウンドカバー要素の第１のプロフィルに適用できるか、あるいは設けられるならば、隣接するグラウンドカバー要素の第２のプロフィルに適用できるか、あるいは設けられるならば、隣接するグラウンドカバー要素の第３のプロフィルに適用でき、
−設けられるならば、第２のプロフィルを、設けられるならば、隣接するグラウンドカバー要素の第２のプロフィルに適用できるか、あるいは設けられるならば、隣接するグラウンドカバー要素の第３のプロフィルに適用でき、
−設けられるならば、第３のプロフィルを、設けられるならば隣接するグラウンドカバー要素の第３のプロフィルに適用できること、を特徴とするグラウンドカバー要素に関する。
【００１２】
互いに隣接して敷き詰められた状態において、本発明によるこの種類のグラウンドカバー要素により、このようにして、グラウンドカバー要素周縁の非常に大きな部分に効率的な水通路開口部が存在するグラウンドカバーが得られる。しかし、この理由のため、グラウンドカバー要素は、「プロフィルがその二等分点に対して実質的に点対称である」という特徴をほとんど失う。
【００１３】
詳細な説明でこれまで行ってきたすべての表現は、当然、本発明の第２の態様と矛盾する表現を除いて、本発明の好ましい発展形態を含む本発明の第２の態様によるグラウンドカバー要素にも等しく適用される。
【００１４】
「第１の端部に隣接する突出部」および「第２の端部に隣接する突出部」という用語は、関連突出部が、それぞれの周縁の基本要素側面の端部に直接始まることを意味しないことを強調する。距離を設けてもよい。むしろ、言いたいことは、それぞれの突出部がそれぞれの端部から非常に遠くには配置されないこと、特に、端部に隣接する突出部と本来の端部との間に追加の突出部が存在しないことである。第１の端部は、必ずしも特定のプロフィルの左側端部である必要はなく、選択的に特定のプロフィルの左側端部または右側端部でもよい。
【００１５】
本発明の第１の態様によるグラウンドカバー要素の場合のように、突出部および凹部は好ましくは台形であり、別の方法として、少なくとも部分的に丸い線によって画定されることが好ましい。上述の表現は、この場合にも同様に適用可能である。
【００１６】
好ましくは、後退部は台形であり、別の方法として、丸い線によって少なくとも部分的に画定されることが好ましい。突出部および凹部の形状に関連して行った表現は、後退部にも等しく適用される。
【００１７】
請求項１２、１３、１４は、第１のプロフィル、第２のプロフィルおよび第３のプロフィルのより具体的な好ましい構造を示している。以下に記述する実施態様は、このようなプロフィルをさらに明らかにするであろう。
【００１８】
第１のプロフィルおよび／または第２のプロフィルおよび／または第３のプロフィルに関して、その各々の後退部は、それぞれの周縁の基本要素側面の幅の好ましくは少なくとも３３％、より好ましくは少なくとも４０％、なおより好ましくは少なくとも５０％である。第２のプロフィルでは、後退部の最大可能な幅の獲得は、第１および第３のプロフィルの場合よりも容易である。
【００１９】
特定の後退部は、特定の基本要素側面の１つまたは複数の凹部よりも、グラウンドカバー要素の内部に向かって少なくとも部分的にさらに後退されるかあるいは戻されることが好ましい。それぞれの後退部がより広く、また後退部が「より深く」戻されると、グラウンドカバー要素の大きさに対する水浸透通路の断面積の合計の割合は、それだけ大きくなる。
【００２０】
請求項１７と１８は、グラウンドカバー要素の周縁の第１のプロフィル、第２のプロフィルおよび第３のプロフィルの好ましい組み合わせを規定している。この点に関するより詳細な情報は、以下のさらなる実施態様によって与えられるであろう。
【００２１】
本発明の第１の態様によるグラウンドカバー要素に関して、第１の突出部、第１の凹部、第３の突出部および第３の凹部のすべてが、実質的に同一の幅（周縁の基本要素側面の方向で測定）を有することが実際に好ましい。しかし、実質的に同一の幅を有する第１の突出部と第３の凹部のみを設けること、また実質的に同一の幅（しかし、前述の「対」の幅よりも狭いかまたはより広い）を有する第１の凹部と第３の突出部のみを設けることが、同様に可能である。
【００２２】
本発明の第１の態様によるグラウンドカバー要素に関して、本発明の第２の態様によるグラウンドカバー要素は、スペーサ突出部および／または少なくとも１つのダミー継目、を有し得ることが好ましい。
【００２３】
第３の態様によれば、本発明は、本発明の第１の態様によるグラウンドカバー要素（＝第１のグラウンドカバー要素）と、本発明の第２の態様によるグラウンドカバー要素（＝第２のグラウンドカバー要素）とを含む１組のグラウンドカバー要素であって、第１のグラウンドカバー要素と第２のグラウンドカバー要素とを互いに隣接して配置するために、前記第１のグラウンドカバー要素の基本側面プロフィルを、隣接する第２のグラウンドカバー要素の第１のプロフィルまたは第２のプロフィルまたは第３のプロフィルに隣接して敷き詰めることができるグラウンドカバー要素に関する。
【００２４】
本発明は、従がって、第１のグラウンドカバー要素と第２のグラウンドカバー要素とを任意の相互配向で互いに隣接して敷き詰めることができる１組のグラウンドカバー要素を提供する。この特性は、第１のグラウンドカバー要素で敷き詰められたカバーの第１の部分と第２のグラウンドカバー要素で敷き詰められたカバーの第２の部分との間の境界において、または、第１のグラウンドカバー要素と第２のグラウンドカバー要素との間の規則的交代によるカバーにおいても何の問題もなく、格別に有利な効果をもたらす。
【発明を実施するための最良の形態】
【００２５】
本発明および本発明の好ましい発展形態について、図面に示された実施態様によって以下により詳細に説明する。
【００２６】
すべての図面は平面図である。
【００２７】
図１は角形状のグラウンドカバー要素２を示している。以下の説明全体にわたって、簡明さの理由のため「グラウンドカバー要素」の代わりに「カバー要素」という用語を使用する。提示したカバー要素のすべてはコンクリートで作られていることが好ましい。
【００２８】
まず「基本形状」について語るならば、カバー要素２の形状は最も容易に想像できる。図１のカバー要素２の場合、この基本形状は、３つの正方形の基本要素４、６、８の結合によって構成される。３つの基本要素４、６、８の接合線１０は、破線１０で示されている。したがって、基本要素４は３つの周縁の基本要素側面１２を有し、基本要素６は２つの周縁の基本要素側面１２を有し、また基本要素８は３つの周縁の基本要素側面１２を有する。基本要素８には、３つの周縁の基本要素側面１２が破線で示されている。これらの３つの周縁の基本要素側面と基本要素８に属する接合線１０との組み合わせを見ると、基本要素の正方形が容易に明らかである。
【００２９】
基本要素８については、以下により詳細に考察する。３つの周縁の基本要素側面１２の各々には、突出部１６と凹部１８とから構成されたプロフィル１４が設けられる。それぞれの周縁の基本要素側面１２は、同時に中立線を示しており、この中立線に対し突出部１６は外側方向に突出し、凹部１８は内側方向に後退している。
【００３０】
最初に、基本要素８の全体的に水平に延在する図１の上方のプロフィル１４について考察する。考察対象の基部要素側面１２の左側端部から、プロフィル１４は突出部１６ａから始まり、凹部１８ａが後に続き、次に突出部１６ｂが続き、その後凹部１８ｂ、次に突出部１６ｃ、その後基本要素側面１２の右側端部に延在する凹部１８ｃが続く。すべての突出部１６ａ〜ｃおよびすべての凹部１８ａ〜ｃは台形状であり、すなわち、それらは直線の基本要素側面１２で僅かに広い基部から始まり、自由端に向かってまた基部に向かってそれぞれ先細りする。突出部１６と凹部１８は継目なしに互いに続く。基本要素側面１２の端部により近い突出部１６ａと１６ｃ（以下に記述する他の実施態様では、「端部に隣接する突出部」と呼ぶ）および基本要素側面１２の端部により近い凹部１８ａと１８ｃは、すべて、実質的に同一の相互幅（基本要素側面１２＝中立線、で測定して）を有する。基本要素側面１２の端部からより遠い突出部１６ｂならびに基本要素側面１２の端部からより遠い凹部１８ｂは、同一の相互幅を有し、またそれらの各々は、それぞれ、突出部１６ａと１６ｃのいずれおよび凹部１８ａと１８ｃのいずれよりも２倍広い。「実質的に」および「約」という用語は、意図的に使用されてきたが、これは、以下により詳細に説明する理由のため、言及した測定関係が正確にそのようなものとして理解されないからである。例えば、突出部１６ａは実際には突出部１６ｃよりも幾分広い。他方、凹部１８ｃは実際には凹部１８ａよりも幾分か広く、さらに、カバー要素２の隅は凹部１８ｃの右側端部で小さな先細りで面取りされている。最後に、例示したカバー要素２のようなコンクリート製品の場合、測定データおよび測定関係は、製造鋳型の許容差のため、また特に平滑な領域を提供しない材料のため正確であると理解すべきでないことを指摘する。突出部１６と凹部１８との間の幅の変化をもたらす特に重要な観点は、複数のカバー要素２が互いに隣接して敷き詰められるときに隣接カバー要素が隣接するカバー要素２の周縁側面に、例えば３〜５ｍｍの幅の敷き詰め継目が維持され、これに対し接合線１０には敷き詰め継目がないという事実である。この点に関してある補償を行うために、プロフィル１４の幾分数学的な初期設計が、突出部１６と凹部１８の幅に関しておよび突出部１６および凹部１８の位置決めに関して僅かに修正される。
【００３１】
対象のプロフィル１４は、その二等分点２０に対して実質的に点対称であり、すなわち左側のプロフィル半部が図１の面内で１８０°回転されるとき、当該半部は右側プロフィル半部と同一である。「実質的に」という用語は、前述の理由と同様の理由のために挿入された。
【００３２】
記述したプロフィル１４は、「逆さまに」形成し、すなわち、図面に配置された二等分線を中心に約１８０°折り、すなわち左側端部および右側端部を交換し得ることを強調する。その場合、プロフィル１４は左側の第１の凹部で始まるであろう。
【００３３】
突出部１６と凹部１８の前述の幅は中立線１２で測定される。これは、原則として、本発明によるカバー要素２の最も適切な位置である。
【００３４】
突出部１６および凹部１８の台形状は、可能な多数の実施態様の１つのみを構成するに過ぎないことを指摘する。この代わりに、例えば長方形（製造はより難しいが）、あるいは例えば低い三角形の形状のさらに突出するかまたはさらに引っ込む形状を選択し得る。プロフィル１４は、特定の基本要素の中心２２から見て、３つの周縁の基本要素側面１２の各々のプロフィルであり、すなわち、対象の上方のプロフィル１４を、最初に中心２２を中心として９０°時計回りに回転すると、上方のプロフィルは、全体が鉛直方向に延在する図１の右側のプロフィル１４と実質的に合体し、また中心２２を中心として上方のプロフィル１４を１８０°回転すると、上方のプロフィルは、全体が水平方向に延在する特定の基本要素８の図１の下方のプロフィル１４と実質的に合体する。「実質的に」という用語の使用に関し、上に行った表現が参照される。二等分点２０に対する各プロフィル１４の前述の点対称のため、下方のプロフィル１４は、実質的に上方のプロフィル１４の平行移動である。
【００３５】
プロフィル１４に関して上述したすべての表現は、同様に基本要素４と６に適用され、基本要素６は当然２つの周縁の基本要素側面のみを有し、したがって、２つのみのプロフィル１４が互いに対していわば垂直に延在する。
【００３６】
記述したプロフィル１４の形状により、同一の配向にまたは９０°回転した配向に（時計回りにまたは反時計回りに）、あるいは１８０°回転した配向に、図１に示したカバー要素２に隣接して隣接カバー要素を配置することができる。隣接カバー要素２のプロフィル１４は、常に相補的に適合し（プロフィル間にある程度の「空気」をもって）、例示したカバー要素２の角形状構造によって獲得される敷き詰められた状態の隣接カバー要素の相互固定に加えて、隣接カバー要素２の相互係合または固定がある。
【００３７】
本発明によるカバー要素２は、実際に、複数の正方形の基本要素の結合に対応する基本形状を有すると考えられるが、基本要素の数および結合の配向を選択できる。一例として、例えば、３つの基本要素４、６、８（または２つの基本要素、または４つの基本要素）を直線の列に結合すること、あるいは基本要素８の右側にさらなる基本要素を加えることによって、Ｌ字形のカバー要素２を設けること、あるいは中央の基本要素６の上側にさらなる基本要素を加えることによってＴ字形のカバー要素２を設けること、あるいは中央の基本要素６の上側にさらなる基本要素を加え、かつ中央の基本要素６の左側にさらなる基本要素を加えることによって、十字形のカバー要素２を設けるなどといったことが可能であろう。
【００３８】
特に強調されることは、本発明は、別の方法として、基本形状が１つのグラウンドカバー要素から構成される正方形の基本要素のみを提供するが、その他の点では本発明の特許明細書に記述された適切な特徴および選択的にさらに好ましい特徴を有することである。
【００３９】
本発明による「３つの突出部」および「３つの凹部」の数が、特に優れた結果を提供する理由は、図２ａ〜図２ｄによって示されている。図２ａ〜図２ｄの部分図の各々は、周縁の基本要素側面１２のプロフィル１４を概略的に示している。図２ａでは、基本要素側面は、すべて同一の相互幅を有する８つの突出部１６と８つの凹部１８に分割される。部分図２ｂでは、基本要素側面は、すべて同一の相互幅を有する３つの突出部１６と３つの凹部１８に分割される。部分図２ｃでは、基本要素側面は、すべて同一の相互幅を有する２つの突出部１６と２つの凹部１８に分割される。１つの突出部と１つの凹部のみを有する別形態は、２つのカバー要素の間に不完全な相互係合をもたらすので、図示していない。
【００４０】
２つの隣接カバー要素２ａと２ｂの基本要素側面１２の各々は、互いに平行に延在せず（平行であることが完全な敷き詰めに望ましいのであるが）、互いにある角度２４をもって延在し、角度２４はすべての部分図２ａ〜図２ｄで同一である。
【００４１】
２つの隣接カバー要素２ａと２ｂが、不正確な敷き詰め作業の故に、あるいは敷き詰め状態における交通負荷による個々のカバー要素２の変位によって生じる前述の角度２４の不整合を伴って互いに並んで配列される場合、図２ａに示すように、一方のカバー要素２ａの基本要素側面１２の右側端部の最後の突出部１６と他方のカバー要素２ｂの基本要素側面１２の対応する端部の凹部１８とによる残余の相互係合をなお維持する。図２ｂのカバー要素２ａと２ｂの場合、カバー要素２ａの最も右側の突出部１６ｃの左の台形側面およびカバー要素２ｂの最も右側の凹部１８ｃの左の台形側面は、ある距離だけ左側に移動しているが、この状態では、この突出部１６ｃとこの凹部１８ｃとの間には残余の相互係合のみが残されている（確実な係合の深さは小さくなるが）。図２ｃのカバー要素２ａと２ｂの場合、この状態では残余の相互係合は残されない。このことから導き出される結論は、隣接カバー要素の間の角度不整合の場合の残余の相互係合効果が、突出部および凹部の数が基本要素側面の所定の長さにわたって多くなると、それだけ向上することである。
【００４２】
別の観点は、正確に敷き詰められた状態における隣接して敷き詰められた２つのカバー要素２ａと２ｂの間の相互係合の強さまたは支持力であり、すなわち、互いに平行の基本要素側面１２は、通常の敷き詰め継目に対応するようなわずかな相互間隔を有する。この点に関して、剪断強さが挙げられ、すなわちカバー要素２ａと２ｂには、基本要素側面１２に対し平行方向に、反対方向の力がカバー要素に加えられ、上記剪断強さは、基本要素側面１２の所定の長さにわたる突出部１６および凹部１８の数の増加と共に減少する。一方で、個々の突出部１６から合計される総剪断面積は、突出部の数の増加と共に小さくなる（この理由は、斜めの台形の側面の間の敷き詰め継目部分は総剪断面積に貢献しないからであり、また突出部の数が多くなると剪断断面積が突出部の根元に配置されず、根本と比べて先細りの突出部分に配置されるという点で、総剪断面積の損失が生じるからである）。他方、突出部の数が多くなるにつれ、剪断に対して支持効果を提供するのは、突出部の総数ではなく、経験によればその半分未満であるという効果がある。したがって、剪断強さの観点は、基本要素側面の所定の長さに対し突出部および凹部の数を可能な限り小さくすることにある。
【００４３】
これらの観点に鑑み、本発明者は、３つの突出部および３つの凹部の数が、角度不整合の場合の残余の相互係合効果と高い剪断強さとの間の最適な妥協であるという結論に達した。
【００４４】
この妥協は、基本要素側面のそれぞれの端部により近い対の突出部１６ａと凹部１８ａおよび対の突出部１６ｃと凹部１８ｃの幅が、それらの突出部および凹部の間に配列された対の突出部１６ｂと凹部１８ｂの幅よりも小さい場合に、なおさらに強められる。図２ｄを参照のこと。
【００４５】
図３によるカバー要素２の実施態様は、接合線１０が図１に示された位置に直線のダミー継目２６が延在する点において、図１による実施態様とは異なる。ダミー継目は、上側からカバー要素２内に下方に、例えば５ｍｍのみの特定の深さまで延在する継目である。ダミー継目２６は、プロフィル１４は別として、３つの基本要素４、６、８に対応する３つの部分にカバー要素２を視覚的に細分する。延長部のそれらの方向を横断して測定されるように、ダミー継目２６は、凹部１８の底部から測定した突出部１６の高さと、さらに、前述の敷き詰め継目幅とに実質的に対応する幅を有する（敷き詰め継目幅は、プロフィル１４の延長部の全体的方向に対し横断方向に測定）。これは、図３による実施態様のみでなく、突出部１６の上側がカバー要素２の残りの上側に対して僅かに、例えば４〜８ｍｍ下げられるすべての実施態様で可能である。この結果、２つの隣接プロフィル１４の間の相互係合は、複数のカバー要素２の敷き詰められたカバー内で視覚的にそれほど明白でなくなる。ダミー継目２６は、いわば、２つの隣接プロフィル１４とその間の敷き詰め継目とによって形成された溝の視覚的継続を示す。
【００４６】
さらに、図３は、カバー要素２の周縁に分布されたスペーサ突出部２８を提供する方法を示している。図示した実施態様では、スペーサ突出部２８の各々は半円の断面であり、またそれぞれの基本要素上側の中心２２から見て、対応するプロフィル１４の最も左側の突出部１６に設けられる。図３では、スペーサ突出部２８のサイズは、スペーサ突出部を完全に明瞭に見ることができるようにするために、自然のサイズと比べて拡大形状で示されている。スペーサ突出部２８は、カバー要素２の敷き詰めを容易にするが、これは、すでに敷き詰められたカバー要素２のスペーサ突出部２８と、敷き詰めるべき新しいカバー要素２のスペーサ突出部２８との間で、次に敷き詰めるべき隣接カバー要素２を簡単に物理的に接触させることができるからである。このようにして、均一な幅の敷き詰め継目が形成される。スペーサ突出部は、任意の他の断面形状であり、また図３に示した位置以外の他の位置に配置し得ることを強調する。スペーサ突出部が、カバー要素上側の下のある距離で始まり、そこからカバー要素２のまさに底面に延在することが好ましい。スペーサ突出部２８は、コンクリートのカバー要素２の残部と一体的に形成される。
【００４７】
最後に、図３は、丸い線によって突出部１６と凹部１８の各々を画定する方法を示している（全体的に丸く、あるいは部分的に丸くまた部分的に直線）。
【００４８】
さらに、「ダミー継目２６」および「スペーサ突出部２８」の特徴が、必ずしも組み合わせて実現される必要はなく、少なくとも１つのダミー継目２６および／またはスペーサ突出部２８をカバー要素２に設けることが可能であることを強調する。例えば、２つのダミー継目２６によって基本要素６と８の結合を３つの部分視覚的に細分するために、１つのみのダミー継目２６または２つ以上のダミー継目２６を設けることが可能である。さらに、例えばプロフィル１４の通路と一致して延在する１つ以上の非線形のダミー継目を設けることが可能である。
【００４９】
図４〜図６は、図１のプロフィル１４に関して修正されたプロフィル１４ａ、１４ｂ、１４ｃを示している。この場合にも、中立線１２が図の各々に示されている。それぞれの左側端部からそれぞれの右側端部までの距離は、図１の基本要素側面の距離に対応する。
【００５０】
図４に示したプロフィルは、本明細書で「第１のプロフィル１４ａ」と呼ばれる種類のプロフィルであり、図１のプロフィル１４と比べて、（例えば「図１の上方右の水平なプロフィル１４を考えると）、第２の突出部１６ｂは、第３の突出部１６ｃの幅に対応する幅（中立線１２の方向で測定して）を有するように、狭くされる。このように形成された第２の突出部１６ｂと第３の突出部１６ｃとの間に、後退部３０が配置される。後退部３０は、凹部１８ａの底部および凹部１８ｃの底部よりもカバー要素２の内部に向かってさらに後退される。後退部３０全体は台形状である。特許請求の範囲および本明細書の導入部では、第１の突出部１６ａは「第１の端部に隣接する突出部」として表され（第１の突出部がプロフィルの第１の端部の近傍に配置されるので）、第２の突出部１６ｂは「端部から遠い突出部」と示され（他の突出部と比べて、当該突出部がプロフィルの端部からのより大きな距離に配列されるので）、また第３の突出部１６ｃは「第２の端部に隣接する突出部」と示される（第３の突出部がプロフィルの他の端部の近傍に配置されるので）。
【００５１】
図５に示したプロフィルは、図１のプロフィル１４と比べて、本明細書で「第２のプロフィル１４ｂ」と呼ばれる種類のプロフィルであり（例えば図１の上方右の水平なプロフィル１４を考えると）、第２の突出部は、突出部の内の第１の端部に隣接する突出部１６ａおよび第２の端部に隣接する突出部１６ｃのみが残されるように、完全に省略される。これらの突出部１６ａと１６ｂの間には、後退部３０が配置され（したがって、第１の凹部１８ａ、第２の突出部１６ｂおよび第２の凹部１８ｂに取って代わる）、この後退部は、図４の場合と同じように、凹部１８ｃの底部よりもカバー要素２の内部に向かってさらに後退される。
【００５２】
図６に示したプロフィルは、本明細書で「第３のプロフィル１４ｃ」と呼ばれる種類のプロフィルである。図１のプロフィル１４と比べて（例えば「図１の上方右の「水平な」プロフィル１４を考えると）、第１の突出部１６は省略され、第１の凹部１８ａの対応する拡張部によって置き換えられる。図１の第２の突出部１６ｂは、図４のプロフィル１４ａの場合と同程度に狭くされる。図５の後退部３０も図４の後退部３０に対応する。特許請求の範囲および詳細な説明では、突出部１６ｂは「端部から遠い突出部」と示される（これは、たった今略述した成立の歴史を考慮すると、当該突出部は図４の端部から遠い突出部１６ｂに対応するからであり、また当該突出部とプロフィル１４ｃの左側端部との間には別の突出部がないが）。代替物としてのプロフィル１４ａ、１４ｂ、１４ｃは、プロフィルの各々が左側端部の凹部１８ｃから始まるように、図面に配置されたそれらの二等分線を中心に１８０°折られるように設計してもよいことを強調する。
【００５３】
図４の第１のプロフィル１４ａでは、突出部１６ａ、１６ｂ、１６ｃのすべては、実質的に同一の幅を有し（中立線１２の方向で測定して）、凹部１８ａと１８ｃも、突出部と実質的に同一の相互幅と実質的に同一の幅とを有する（中立線１２の方向で測定して）。「実質的に」という用語を使用する理由については、すでに図１に関連して上に指摘した。特に、図４では、第１の端部に隣接する突出部１６ａは、実際には突出部１６ｂと１６ｃよりも幾分広い。以下により詳細に説明する隣接カバー要素２との相互係合に干渉することなく、端部から遠い突出部１６ｂを、右に向かって例示したよりも十分に広くし得ることが特に指摘される。
【００５４】
図５の第２のプロフィル１４ｂに関して、２つの突出部１６ａと１６ｃおよび凹部１８ｃのすべては、実質的に同一の幅を有する。
【００５５】
図６の第３のプロフィル１４ｃでは、突出部１６ｂと１６ｃおよび凹部１８ｃの幅は実質的に同一であり、凹部１８ａの幅は図１の実質的に２倍である。この場合も、端部から遠い突出部１６ｂは、実際に、相互係合に干渉することなく右に向かってより広くし得る。
【００５６】
図４、図５、図６の比較により直接明らかになることは、追加の第１のプロフィル１４ａまたは第２のプロフィル１４ｂまたは第３のプロフィル１４ｃに隣接して、第１のプロフィル１４ａ（当然、１８０°の回転により）を選択的に敷き詰めることができることである。第２のプロフィル１４ｂも、第１のプロフィル１４ａ、第２のプロフィル１４ｂおよび第３のプロフィル１４ｃに隣接して、選択的に敷き詰めることができる。第３のプロフィル１４ｃも、第１のプロフィル１４ａまたは第２のプロフィル１４ｂまたは第３のプロフィル１４ｃに隣接して選択的に敷き詰められるように適合される。このことは、プロフィル１４ａ、１４ｂ、１４ｃの成立の歴史からも明らかであるが、これは、図１のプロフィル１４と比較して、突出部が完全にまたは部分的に切り取られていたが、一方で、後退部３０を除いて、本質的な変更が行われなかったからである。さらに、後退部３０に関して（突出部１６内に係合する隣接カバー要素２の突出部１６によって、後退部が小さな部分に縮小されない限りにおいて）、隣接して敷き詰められた複数のカバー要素２から成るカバー内に細長い開口部が残されることが認識可能である。これらの開口部は、降水がカバーの下のベッド内に流れ落ちることが可能な効率的な水通路開口部であり、したがって、放水路システムに放出する必要はない。中立線１２に対する後退部３０の深さは、後退部３０の幅に加えて、その幅は非常に自由には選択できないが、カバー全体の水通路開口部の割合を規定する。図１のプロフィル１４から図４〜図６のプロフィルへの記述した変更の目的は、敷き詰め状態でカバー内に水浸透通路を形成するカバー要素２を提供することにあった。
【００５７】
第２のプロフィル１４ｂが第２のプロフィル１４ｂと相互係合されるならば、２つの可能な方向の内の１つのみの確実なロックを可能にする相互係合が確立される。第３のプロフィル１４ｃが第３のプロフィル１４ｃと相互係合されるならば、同じことが当てはまる。しかし、第１のプロフィル１４ａが第１のプロフィル１４ａと相互係合されるならば、可能な２つの方向の確実なロックが達成される（突出部１６ｃは、突出部により両側に取り付けられた凹部１８ａに係合するので）。同じことが、第１のプロフィル１４ａおよび第２のプロフィル１４ｂの間の相互係合に、ならびに第１のプロフィル１４ａおよび第３のプロフィル１４ｃの間の相互係合に当てはまる。第２のプロフィル１４ｂと第３のプロフィル１４ｄとの相互係合についても、確実なロック効果が２つの可能な方向、すなわち図４、５、６の左に向かって、また右に向かって達成される。この結果、カバー要素２の周縁全体に第３のプロフィル１４ｂのみを有する前記カバー要素、およびカバー要素２の周縁の周り全体に第２のプロフィル１４ｃのみを有する前記カバー要素は、各周縁の基本要素側面における相互係合の観点から特に有利ではない。しかし、カバー要素２の全体的な構造により、カバー内のカバー要素２の有効な相互固定がすでに得られているので、この観点は、特に図１に示したような角形状のカバー要素に関し極めて重要であるということではない。
【００５８】
カバー要素構造による優れた相互係合および／または優れた固定は、カバー要素がグリッパを用いて機械によって敷き詰められる場合、敷き詰め状態のためのみならず、製造機械のプレート上で製造されたカバー要素を共に保持するためにも有利である。
【００５９】
カバー要素の周縁において、第１のプロフィル１４ａのみ、または第２のプロフィル１４ｂのみ（少なくとも１つを除き、より優れている）、または第３のプロフィル１４ｃのみ（少なくとも１つを除き、より優れている）、またはプロフィル１４ａ、１４ｂ、１４ｃの任意の組み合わせを有する効率的な水通路開口部をカバーに設けるためのカバー要素２を製造することが基本的に可能であることはすでに上に指摘した。
【００６０】
図７は、第１のプロフィル１４ａを持たず、５つの第２のプロフィル１４ｂと３つの第３のプロフィル１４ｃとを有する水通路開口部カバー要素２の実施態様を示している。このような第２のプロフィル１４ｂおよびこのような第３のプロフィル１４ｃ配置に関しては、特に図７に示している。
【００６１】
図８は、４つの第２のプロフィル１４ｂおよび４つの第３のプロフィル１４ｃが設けられている修正形態を概略的に（すなわち、プロフィルは明白に示されていない）示しており、これらは、周縁の基本要素側面１２に沿って異なる方法でさらに分布されている。周縁の基本要素側面１２のプロフィルの分布に関しては、特に図８に示されている。
【００６２】
図９は、２つの第１のプロフィル１４ａと、５つの第２のプロフィル１４ｂと、第３のプロフィル１４ｃとを有する実施態様を示している。個々のプロフィルを有する個々の周縁の基本要素側面に関しては、特に図９に示されている。図７の実施態様から図９の実施態様への移行は、２つの第３のプロフィル１４ｃが、２つの第１のプロフィル１４ａによって置き換えられていると考えることができる。
【００６３】
図３と同様に、図１０は、追加の特徴部「ダミー継目２６」、「スペーサ突出部２６」、および「丸い突出部１６」または「丸い凹部１８」または「丸い後退部３０」をそれぞれ見ることができる実施態様を示している。この場合も、図３に関して上に行った詳細な表現が、これらの特徴の複数を組み合わせて提供する存在しない適切な要求に関して特に当てはまる。
【図面の簡単な説明】
【００６４】
【図１】角形状のグラウンドカバー要素の図面である。
【図２ａ】２つの隣接したグラウンドカバー要素の当接部の部分図である。
【図２ｂ】２つの隣接したグラウンドカバー要素の当接部の部分図である。
【図２ｃ】２つの隣接したグラウンドカバー要素の当接部の部分図である。
【図２ｄ】２つの隣接したグラウンドカバー要素の当接部の部分図である。
【図３】図１のグラウンドカバー要素に対し修正されたグラウンドカバー要素の第２の実施態様の図面であり、領域の一部は取り除かれている。
【図４】グラウンドカバー要素の周縁の部分を示している。
【図５】グラウンドカバー要素の周縁の部分を示している。
【図６】グラウンドカバー要素の周縁の部分を示している。
【図７】第３の実施態様による角形状のグラウンドカバー要素を示している。
【図８】図７のグラウンドカバー要素に対し修正されたグラウンドカバー要素の第４の実施態様の図面であり、領域の一部は取り除かれている。
【図９】第５の実施態様による角形状のグラウンドカバー要素を示している。
【図１０】図７のグラウンドカバー要素に対し修正されたグラウンドカバー要素の第６の実施態様の図面である。
【符号の説明】
【００６５】
２  グラウンドカバー要素
２ａ  隣接カバー要素
４、６、８  ３つの正方形の基本要素
１０  接合線
１２  周縁の基本要素側面
１２  中立線
１４  プロフィル
１４ａ、１４ｂ、１４ｃ  プロフィル
１６  突出部
１６ａ、１６ｂ、１６ｃ  突出部
１８  凹部
１８ａ、１８ｂ、１８ｃ  凹部
２０  二等分点
２２  基本要素上側の中心
２４  角度
２６  ダミー継目
２８  スペーサ突出部
３０  後退部
【図１】
0004551616.tif 000002
【図２ａ】
0004551616.tif 000003
【図２ｂ】
0004551616.tif 000004
【図２ｃ】
0004551616.tif 000005
【図２ｄ】
0004551616.tif 000006
【図３】
0004551616.tif 000007
【図４】
0004551616.tif 000008
【図５】
0004551616.tif 000009
【図６】
0004551616.tif 000010
【図７】
0004551616.tif 000011
【図８】
0004551616.tif 000012
【図９】
0004551616.tif 000013
【図１０】
0004551616.tif 000014